(57)【要約】  本発明は、窓枠に取り付けられた固定窓体と、前記窓枠の下部内側に敷設された直線状レールと、前記直線状レールに沿って第１の方向に往復動する可動窓体と、を含み、かつ、窓ガラスを備え、前記可動窓体は、可動窓体に取り付けられた窓ガラス面に垂直な第２の方向に移動して窓枠に密着される水平密着窓戸に関する。本発明によれば、スライド方式により開閉される窓戸でありながらも、ハンドルの操作によって窓を窓枠に密着させ、これによって優れた気密性、水密性及び耐風圧性を実現できる。
2013540221.tif 000002
【特許請求の範囲】
【請求項１】
窓枠に取り付けられた固定窓体と、
前記窓枠の下部に敷設された直線状レールと、
前記直線状レールに沿って第１の方向に往復動する窓ガラス付き可動窓体と、
を備える窓戸であって、
前記可動窓体は、前記窓ガラス面に垂直な第２の方向に移動して窓枠に密着されることを特徴とする水平密着窓戸。
【請求項２】
前記レールに沿って第１の方向に移動するローラを有するローラハウジングと、
前記ローラハウジングから離れる方向に移動する下ランナーと、
をさらに備えることを特徴とする請求項１に記載の水平密着窓戸。
【請求項３】
前記ローラハウジングに回転自在に係合された一方の端と、前記下ランナーに回転自在に係合された他方の端とを有するアームと、
前記アームに固定され、ガイド孔が形成されたガイドプレートと、
前記ガイド孔に移動自在に配設されるガイドピンと、
をさらに備えることを特徴とする請求項２に記載の水平密着窓戸。
【請求項４】
前記可動窓体のハンドルが回されることに伴い、前記ガイドピンは前記ガイド孔に沿って移動し、
前記アームは、一方の端を回転軸として回転して、前記下ランナーを前記ローラハウジングから離間させるように移動させることを特徴とする請求項３に記載の水平密着窓戸。
【発明の詳細な説明】
【技術分野】
【０００１】
本発明は水平密着窓戸に係り、さらに詳しくは、窓枠に敷設されたレールに沿って直線往復動をしながら開閉される窓が前記直線往復動方向に垂直な方向に移動して窓枠に完全に密着されることにより気密性が向上した窓戸システムに関する。
【背景技術】
【０００２】
一般に、窓戸とは、建物の壁面に設けられた窓枠と、前記窓枠に組み込まれた窓とを通称する用語である。窓戸は、外光を室内に取り入れる採光機能と、室内の空気を換気する換気機能と、室内と室外との間の熱伝達を遮断する冷暖房機能などといった機能を行う。
【０００３】
窓は、大きく、開閉方式によって、開き窓と引き窓とに大別できる。開き窓とは、蝶番を通じて窓枠に組み込まれた窓が前記蝶番を回転軸として回転しながら開閉される窓のことをいう。開き窓は、気密性、水密性及び耐風圧性に優れており、窓の立面分割及び構造保証が容易であるというメリットを有している。しかしながら、開き窓は、室内から眺める窓の立面が引き窓に比べてきれいではなく、特別な固定装置がない場合に窓が風によって、いきなり開閉されてしまうという欠点がある。
【０００４】
引き窓とは、窓枠に敷設されたレールに嵌め込まれた窓が前記レールに沿って直線往復動をしながら開閉される窓のことをいう。引き窓は、室内から眺める窓戸の立面が開き窓に比べて、きれいであるというメリットを有しているが、開き窓に比べて、気密性、水密性及び耐風圧性が良好ではないという欠点もある。
【発明の概要】
【発明が解決しようとする課題】
【０００５】
本発明は、従来の開き窓と引き窓の問題点を解決して、スライド方式の引き窓でありながらも、ハンドルの操作によって窓を窓枠に密着することにより、気密性と、水密性及び耐風圧性を確保した窓戸を提供することを目的とする。
【０００６】
また、上記の機能を有するとともに内部に開かれる開き窓の場合に、回転半径によって内部の生活空間が侵害されるが、本発明は、開き窓の性能を有しながらも生活空間の侵害が起こらない窓戸を提供することを目的とする。
【課題を解決するための手段】
【０００７】
本発明は、窓枠に取り付けられた固定窓体と、前記窓枠の下部に敷設された直線状レールと、前記直線状レールに沿って第１の方向に往復動する窓ガラス付き可動窓体と、を備える窓戸であって、前記可動窓体は、前記窓ガラス面に垂直な第２の方向に移動して窓枠に密着されることを特徴とする水平密着窓戸を提供する。
【０００８】
好ましくは、本発明に係る水平密着窓戸は、前記レールに沿って第１の方向に移動するローラを有するローラハウジングと、前記ローラハウジングから離れる方向に移動する下ランナーと、をさらに備えていてもよい。
【０００９】
好ましくは、本発明に係る水平密着窓戸は、前記ローラハウジングに回転自在に係合された一方の端と、前記下ランナーに回転自在に係合された他方の端とを有するアームと、前記アームに固定され、ガイド孔が形成されたガイドプレートと、前記ガイド孔に移動自在に配設されるガイドピンと、をさらに備えていてもよい。
【００１０】
好ましくは、本発明に係る水平密着窓戸は、前記可動窓体のハンドルが回されることに伴い、前記ガイドピンは前記ガイド孔に沿って移動し、前記アームは、一方の端を回転軸として回転して、前記下ランナーを前記ローラハウジングから離間させるように移動させてもよい。
【発明の効果】
【００１１】
本発明によれば、スライド方式の窓戸でありながら、ハンドルの操作によって窓を窓枠に水平移動して密着して気密性と水密性を確保することから、スライド方式の窓戸の問題点を解消することができる。
【図面の簡単な説明】
【００１２】
【図１】図１ａ及びｂは、本発明に係る窓戸の作動方式を説明するための概略斜視図である。
【図２】図２ａ及びｂは、本発明に係る窓戸の作動方式を示す縦断面図である。
【図３】水平密着窓戸の窓に設けられるハードウェアを示す斜視図である。
【図４】図３のＡ部分を拡大して示す部分分解斜視図である。
【図５】図４の下ランナー及びローラハウジングを下から見上げた底面斜視図である。
【図６】図５の下ランナー及びローラハウジングが閉位置にあるときの底面斜視図である。
【図７】図５の下ランナー及びローラハウジングがロック位置にあるときの底面斜視図である。
【発明を実施するための形態】
【００１３】
以下、添付図面に基づき、本発明の一実施形態に係る水平密着窓戸について詳述する。以下で用いられた用語や単語は通常的または辞書的な意味に限定して解釈されてはならず、発明者はその自分の発明を最良の方法により説明するために用語の概念を適切に定義することができるという原則に即して本発明の技術的思想に合う意味として解釈されるべきである。
【００１４】
図１ａ及び図１ｂは、本発明に係る窓戸の作動方式を説明するための概略斜視図であり、図２ａ及び図２ｂは、本発明に係る窓戸の作動方式を示す縦断面図であり、図３は、水平密着窓戸の窓に設けられるハードウェアを示す斜視図であり、図４は、図３のＡ部分を拡大して示す部分分解斜視図であり、図５は、図４の下ランナー及びローラハウジングを下から見上げた底面斜視図であり、図６は、図５の下ランナー及びローラハウジングが閉位置にあるときの底面斜視図であり、そして図７は、図５の下ランナー及びローラハウジングがロック位置にあるときの底面斜視図である。
【００１５】
本発明に係る窓戸は、図１ａに示すように、建物の壁面に設けられる窓枠１０と、前記窓枠１０に嵌め込まれる窓体２０，２５と、を備える。前記窓体は、窓枠１０に固定される固定窓体２５と、窓枠１０の下部に敷設されるレール（図示せず）に沿って移動しながら窓戸を開閉する可動窓体２０と、を備え、それぞれは、窓ガラスｗを備えている。前記可動窓体２０は、窓枠１０と平行な状態を維持したまま窓枠１０に敷設されたレールに沿って第１の方向（図１ａ及び図１ｂに示すＡ方向）に直線往復動をして窓が開閉される。また、可動窓体２０は、窓枠１０と平行な状態を維持したまま窓枠１０を向く方向、すなわち、前記窓ガラスｗがなす面に垂直な第２の方向（図１ｂに示すＢ方向）に移動して窓枠１０と密着して気密を維持しながら完全に密閉される（このような方式により窓枠に密着する窓戸を以下では「水平密着窓戸」と称する）。
【００１６】
本発明に係る水平密着窓戸は、可動窓体２０が窓枠に敷設された直線状レールに沿って第１の方向（Ａ方向）に移動して開閉され、また、第２の方向（Ｂ方向）に移動して完全に密閉されて気密性を維持したままでロックされるところに特徴がある。
【００１７】
本発明に係る水平密着窓戸においては、可動窓体２０が３次元的に動くため、可動窓体の位置を定義する必要がある。以下、「開位置」は、可動窓体２０がスライドして窓が開いた位置を意味し、「閉位置」は、前記開位置から窓が第１の方向（Ａ方向）にスライドして窓枠の開口部分を閉塞して室内が密閉された状態を意味し、「ロック位置」は、閉位置から可動窓体２０が窓枠１０と平行な状態を維持したままで窓枠１０が位置している第２の方向（Ｂ方向）に移動して窓枠１０と完全に密着された位置を意味する。
【００１８】
図２ａ及び図２ｂは、それぞれ本発明に係る水平密着窓戸が開位置とロック位置にある場合におけるこれらを縦方向断面の様子を示す。すなわち、水平密着窓戸が開位置にある場合（図２ａ）には、可動窓体２０が窓枠１０に完全に密着せず、これらの間には所定の距離だけ離れた隙間Ｇが存在する。また、この隙間Ｇを介して室内外の空気が互いに循環して室内空気の換気機能を行うことができる。換言すれば、本発明の窓戸は、可動窓体が開いていない閉状態でも可動窓体と窓枠との間には所定の距離だけの隙間が存在するため換気機能を行うことができる。また、このときには、換気は行われるが、外から窓を開けないようにロック機能が設定されていてもよい。なお、水平密着窓戸がロック位置にある場合（図２ｂ）には、可動窓体２０が窓枠１０に完全に密着されて、これらの間には隙間が存在せず、このため、完全に密閉されるのである。
【００１９】
水平密着窓戸の可動窓体２０は、図３に示すように、ハードウェア３０と、前記ハードウェアの外表面に被覆される外皮（スキン）（図示せず）と、前記ユーザがつかんで窓の開閉動作を行うように前記ハードウェアの縦部材に設けられたハンドルＨと、を備える。前記ハードウェア３０は、矩形枠状を呈し、可動窓体の側面を囲繞した状態で取り付けられ、前記ハンドルＨの回し動作に伴い、リンクを介して動力を伝達する役割を果たす。
【００２０】
また、前記ハードウェア３０の下部横部材には、図４に示すように、下ランナー６０とローラハウジング５０が設けられる。ローラハウジング５０は、窓枠１０に敷設された直線状レール上で自転するローラ５２を収容して可動窓体を前記第１の方向に移動可能にし、下ランナー６０は、後述する原理によって可動窓体を前記第２の方向に移動可能にする。
【００２１】
下ランナー６０は、ベースプレート６４と、ベースプレート６４の外面に取り付けられてハンドルＨの回転力を受けて直線方向に移動するロッドバー６６と、前記ロッドバー６６に固着されるガイド部材６８と、コーナドライブ４０に形成された孔に嵌合可能にロッドバー６６に形成されたコーナドライブ連結ピン６２と、を備える。ユーザが前記ハンドルＨを回すと、回転力は、コーナドライブ４０と、コーナドライブ連結ピン６２と、ロッドバー６６及びガイド部材６８に、この順に伝わってガイド部材が直線移動する。ガイド部材６８の直線移動によって下ランナー６０が前記図１ＢのＢ方向に移動して水平密着がなされる（後述する）。
【００２２】
前記可動窓体２０が開位置にある場合に、下ランナー６０はローラハウジング５０から約２０ｍｍ離れており、可動窓体２０が閉位置からロック位置に移動する場合に下ランナー６０は平行に移動してローラハウジング５０と密着される。下ランナー６０の平行移動は、ハードウェア３０に設けられたハンドルＨの回しにより行われる。
【００２３】
本発明に係る水平密着窓戸のロック及びスライドについては、図５乃至図７に基づいて説明する。図５は、下ランナー及びローラハウジングが開位置にあるときに下から見上げた底面斜視図であるが、下ランナー及びローラハウジングを離間させるアーム１１０が示してある。
【００２４】
前記アーム１１０の一方の端は、第１のシャフト１１２を介してローラハウジング５０に回転自在に係合され、アーム１１０の他方の端は、第２のシャフト１１４を介して下ランナー６０のベースプレート６４に回転自在に係合され、アーム１１０の他方の端には尖部１１６が形成される。また、アーム１１０にはガイドプレート７０が固定され、ガイドプレート７０にはガイド孔７５が形成され、前記ガイド孔にはガイドピン６８が嵌合される。このような構成により、ハンドルＨが回されると、前記ロッドバー６６に連結された前記ガイドピン６８が前記ガイド孔７５に沿って移動し、前記アーム１１０は第１のシャフト１１２を回転軸として回転しながら下ランナー６０をローラハウジング５０が位置する方向に平行移動させるか、あるいは、ローラハウジング５０から平行に離間させる。
【００２５】
すなわち、図５に示すように、下ランナー６０がローラハウジング５０から最大限に離れている開位置の状態でユーザがハードウェア３０に設けられたハンドルを回すと、アーム１１０は第１のシャフト１１２を回転軸として回転し、アーム１１０が、図５に示すように、ローラハウジング５０に形成された載置溝に載置されて閉位置となり、次いで、ハンドルをさらに回すと、可動窓体２０は窓枠に水平移動してロック位置に置かれる。
【００２６】
そして、アーム１１０が第１のシャフト１１２を回転軸として回転し始めたときに、尖部１１６を押し付けることによりアーム１１０を下ランナー６０の平行移動が終わるまで回転させる戻り手段１３０を有する。前記戻り手段は、ばねを用いて種々の形状に製作可能である。
【００２７】
水平密着窓戸の可動窓体２０が開いた状態で、ハンドルの角度を、例えば、０°としたとき（図５の状態）、前記ガイドピン６８は前記ガイド孔７５の一方の先端に位置し、前記アーム１１０の回転によって下ランナー６０がローラハウジング５０から最大限に離れた個所に位置する。また、ハンドルＨが約９０°回されると、ガイドピン６８が前記ガイド孔７５の略中央部に位置し（図６の状態）、下ランナー６０はローラハウジング５０に密着される。次いで、ハンドルをさらに回して約１８０°になると、ガイドピン６８は前記ガイド孔７５の反対側の先端に位置し、窓は窓枠のロック装置（図示せず）と係合されて完全に密着される（図７の状態）。
【００２８】
以上述べたように、本発明は、窓枠に敷設された直線状レール上を可動窓体が移動して窓が開閉されるが、前記可動窓体は窓枠に向かって密着される構造を有することから、引き窓の欠点である密閉機能を完璧に実現して外部空気の流入を遮断し、室内と室外との熱伝達を遮断する他、外部の騒音を完璧に遮断するといった効果が得られる。
【符号の説明】
【００２９】
１０  窓枠
２０，２５  窓体
３０  ハードウェア
４０  コーナドライブ
５０  ローラハウジング
５２  ローラ
６０  下ランナー
６２  コーナドライブ連結ピン
６４  ベースプレート
６６  ロッドバー
６８  ガイド部材（ガイドピン）
７０  ガイドプレート
７５  ガイド孔
１１０  アーム
１１２  第１のシャフト
１１４  第２のシャフト
１１６  尖部
１３０  戻り手段
Ｇ  隙間
Ｈ  ハンドル
ｗ  窓ガラス
【図１ａ】
2013540221.tif 000003
【図１ｂ】
2013540221.tif 000004
【図２ａ】
2013540221.tif 000005
【図２ｂ】
2013540221.tif 000006
【図３】
2013540221.tif 000007
【図４】
2013540221.tif 000008
【図５】
2013540221.tif 000009
【図６】
2013540221.tif 000010
【図７】
2013540221.tif 000011
【国際調査報告】
2013540221.tif 000012
2013540221.tif 000013